(57)【要約】【課題】本発明は、流速騒音の減少のために構造が改善されたフレキシブルホース及びそれを備えた真空掃除機を提供する。【解決手段】  本発明フレキシブルホース及びそれを備えた真空掃除機は、内部に空気の流動が可能であり、多数の山と谷が形成され、多数の山と谷により内部に溝を備えるフレキシブルホース壁と、フレキシブルホース壁の内部を流動する空気が多数の溝に流入されないようにフレキシブルホース壁に形成される空気流入防止部材とを含む。【選択図】図４
2008220922.tif 000002
【特許請求の範囲】
【請求項１】
内部に空気の流動が可能であり、多数の山と谷が形成され、前記多数の山と谷により内部に溝を備えるフレキシブルホース壁と、
前記フレキシブルホース壁の内部を流動する空気が前記多数の溝に流入されないように前記フレキシブルホース壁に形成される空気流入防止部材と、
を含むことを特徴とするフレキシブルホース。
【請求項２】
前記空気流入防止部材は、前記フレキシブルホース壁に一体で形成されることを特徴とする請求項１に記載のフレキシブルホース。
【請求項３】
前記空気流入防止部材は、
前記多数の溝の一部を覆うように前記多数の谷から突出して延長形成される第１リブと、
前記第１リブの一部を覆うように前記第１リブと一部が重なる形状に前記多数の谷から延長形成される第２リブと、を含み、
前記第１リブと前記第２リブは、前記多数の溝全体を覆うように形成され、前記フレキシブルホース壁を流動する空気が前記溝に流入されないようにすることを特徴とする請求項１または請求項２に記載のフレキシブルホース。
【請求項４】
前記第１リブは空気の流動方向と反対方向に形成され、前記第２リブは空気の流動方向と同一方向に形成されることを特徴とする請求項３に記載のフレキシブルホース。
【請求項５】
前記第１リブの長さと前記第２リブの長さとの和は、前記フレキシブルホース壁が弛緩され前記多数の溝が最大幅となった場合より大きいことを特徴とする請求項２に記載のフレキシブルホース。
【請求項６】
真空掃除機の本体と、
被掃除面と接触され前記被掃除面の汚物を吸引する吸引アセンブリと、
前記吸引アセンブリと連結される延長管と、
前記延長管と前記掃除機の本体とを連結するフレキシブルホースと、を含み、
前記フレキシブルホースは、
内部に空気の流動が可能であり、多数の山と谷が形成され、前記多数の山と谷により内部に溝を備えるフレキシブルホース壁と、
前記フレキシブルホース壁の内部を流動する空気が前記多数の溝に流入されないように前記フレキシブルホース壁に形成される空気流入防止部材と、を含むことを特徴とする真空掃除機。
【請求項７】
前記空気流入防止部材は、
前記多数の溝の一部を覆うように前記多数の谷から空気の流動方向と反対方向に突出して延長形成される第１リブと、
前記第１リブの一部を覆うように前記第１リブと一部が重なる形状に前記多数の谷から空気の流動方向と同一方向に延長形成される第２リブと、を含み、
前記第１リブと前記第２リブは、前記多数の溝全体を覆うように形成され、前記フレキシブルホース壁を流動する空気が前記溝に流入されないようにすることを特徴とする請求項６に記載の真空掃除機。
【発明の詳細な説明】
【技術分野】
【０００１】
本発明はフレキシブルホース及びそれを備えた真空掃除機に関し、より詳細には構造を改善して空気の流動による流速騒音が低減されたフレキシブルホース及びそれを備えた真空掃除機に関する。
【背景技術】
【０００２】
一般に、真空掃除機は真空掃除機の本体に内蔵された吸引モータを駆動して吸引力が発生し、吸引口体を被掃除面と接触させ、前記吸引力を用いて被掃除面の汚物を吸引した後、真空掃除機の本体に内蔵された集塵装置において汚物を分離し、真空掃除機の本体外部へ浄化された空気を排出する過程を経て掃除動作が行われる。
【０００３】
このような一般の真空掃除機は、被掃除面の汚物を吸引するための吸引口体と、掃除機を操作するためのハンドル部と、吸引口体とハンドル部とを連結する延長管と、ハンドル部と真空掃除機の本体を連結するフレキシブルホースから構成されている。
【０００４】
一方、従来のフレキシブルホースは、吸引口体を介して吸引された汚物を含む外気を延長管を経て真空掃除機の本体に内蔵された集塵装置に移動させるための空気流路としての役割を果たし、使用者がハンドル部を操作して吸引口体を移動させる過程において柔軟性を有するようにフレキシブルホース壁を有する軟質の合成樹脂剤からなっている。
【０００５】
しかし、図１に示すように、従来のフレキシブルホース１はフレキシブルホース壁２の内部に汚物を含む外気がＢ方向に流動する場合、フレキシブルホース壁２の内周に形成された多数の溝３に外気が流入されることにより、流速騒音が増加する短所があった。
【特許文献１】大韓民国登録実用第２０−０３７００７１号公報
【発明の開示】
【発明が解決しようとする課題】
【０００６】
本発明の前述の問題点を解決するために提出されたもので、本発明の目的は流速騒音の減少のために構造が改善されたフレキシブルホース及びそれを備えた真空掃除機を提供することにある。
【課題を解決するための手段】
【０００７】
前述の目的を達成するために提案された本発明の一実施形態に係るフレキシブルホースは、内部に空気の流動が可能であり、多数の山と谷が形成され、前記多数の山と谷により内部に溝を備えるフレキシブルホース壁と、前記フレキシブルホース壁の内部を流動する空気が前記多数の溝に流入されないように前記フレキシブルホース壁に形成される空気流入防止部材と、を含むことを特徴とする。
【０００８】
また、前記空気流入防止部材は、前記フレキシブルホース壁に一体で形成されることが好ましい。
【０００９】
また、空気流入防止部材は、前記多数の溝の一部を覆うように前記多数の谷から突出して延長形成される第１リブと、前記第１リブの一部を覆うように前記第１リブと一部が重なる形状に前記多数の谷から延長形成される第２リブと、を含み、前記第１リブと前記第２リブは、前記多数の溝全体を覆うように形成され、前記フレキシブルホース壁を流動する空気が前記溝に流入されないように構成することができる。
【００１０】
また、前記第１リブは空気の流動方向と反対方向に形成され、前記第２リブは空気の流動方向と同一方向に形成されることが好ましい。
【００１１】
また、前記第１リブの長さと前記第２リブの長さとの和は、前記フレキシブルホース壁が弛緩され前記多数の溝が最大幅となった場合より長いことが好ましい。
【００１２】
一方、本発明の一実施形態に係るフレキシブルホースが適用された真空掃除機は、真空掃除機の本体と、被掃除面と接触され前記被掃除面の汚物を吸引する吸引アセンブリと、前記吸引アセンブリと連結される延長管と、前記延長管と前記掃除機の本体とを連結するフレキシブルホースと、を含み、前記フレキシブルホースは、内部に空気の流動が可能であり、多数の山と谷が形成され、前記多数の山と谷により内部に溝を備えるフレキシブルホース壁と、前記フレキシブルホース壁の内部を流動する空気が前記多数の溝に流入されないように前記フレキシブルホース壁に形成される空気流入防止部材と、を含むように構成することができる。
【発明の効果】
【００１３】
本発明の一実施形態に係るフレキシブルホースは、フレキシブルホース壁の内部に形成された多数の溝に空気が流入されることを防止することで、フレキシブルホースを流動する流体による流速騒音を低下させることができ、これにより、より静かな環境で掃除動作を行なうことができる。
【発明を実施するための最良の形態】
【００１４】
以下、添付の図面に基づいて本発明の好適な実施形態を詳述する。
【００１５】
図２は、本実施形態のフレキシブルホース１０が適用された真空掃除機１００を示す。同図に示すように、本実施形態に係るフレキシブルホース１０が適用された真空掃除機１００は、真空掃除機の本体１１０、吸引口体１２０、ハンドル部１３０、延長管１４０、フレキシブルホース１０を含む。
【００１６】
参考までに、本実施形態に係るフレキシブルホース１０が適用された真空掃除機１００は、フレキシブルホース１０を除いたその他の構成、すなわち真空掃除機の本体１１０、吸引口体１２０、ハンドル部１３０、延長管１４０は、通常の真空掃除機の構造と同様であるため簡略に説明し、フレキシブルホース１０について詳細に説明する。
【００１７】
真空掃除機の本体１１０には、吸引源を提供するための真空モータ（図示せず）と、汚物を含む外気から汚物を分離するための集塵装置（図示せず）が内蔵される。
【００１８】
吸引口体１２０は真空モータ（図示せず）で発生された吸引力により被掃除面の汚物を含む外気を吸引するためのもので、吸引口体１２０の底面には外気が吸引される吸引口１２１が形成される。
【００１９】
ハンドル部１３０は真空掃除機の本体１１０と吸引口体１２０との間に配置され、吸引口体１２０を操作するために使用者が把持可能な形状に形成される。
【００２０】
延長管１４０は吸引口体１２０とハンドル部１３０とを連結し、フレキシブルホース１０はハンドル部１３０と真空掃除機の本体１１０とを連結させる。
【００２１】
これにより、吸引口１２１を介して流入された汚物を含む外気は、延長管１４０、ハンドル部１３０、フレキシブルホース１０を次々と通って真空掃除機の本体１１０の内部に装着された集塵装置（図示せず）で汚物が分離された後、真空掃除機の本体１１０の外部へ排出される。
【００２２】
図３及び図４に示すように、本発明の一実施形態に係るフレキシブルホース１０は合成樹脂剤からなるしわになった帯状の部材を螺旋状に連続して巻き付けながら相互隣接して重畳される重畳部１１を接着剤を用いて接着させることでフレキシブルホース壁１２が形成され、これにより、フレキシブルホース壁１２の内周には多数の谷１４と多数の山１７が形成される。このとき、多数の谷１４と多数の山１７によってフレキシブルホース壁１２を流動する流体が流入され得る多数の溝１９が形成される。本実施形態に係るフレキシブルホース１０は、フレキシブルホース壁１２の内周に形成される多数の溝１９に空気が流入されないように空気流入防止部材１６が形成される。本実施形態においては、空気流入防止部材１６がフレキシブルホース壁１２に一体で形成されるが、空気流入部材１６はフレキシブルホース壁１２に接着剤により結合されても良い。空気流入防止部材１６は、前記谷１４からそれぞれ水平方向に一体で延長突出される第１及び第２リブ１６ａ、１６ｂを含む。第１リブ１６ａは空気の流動方向Ｃと反対方向に向かって前記谷１４から水平に延長され、溝１９の一部を覆うように形成される。第２リブ１６ｂは空気の流動方向Ｃと同一方向に向かって前記谷１４から水平に延長され、溝１９の一部を覆うように形成される。このとき、第２リブ１６ｂは第１リブ１６ａの一部を覆うように相互重なって形成され、これにより、第１及び第２リブ１６ａ、１６ｂによって多数の溝１９全体が閉じられるように覆われる。一方、フレキシブルホース壁１２が外力によって弛緩され多数の溝１９が最大幅となる場合にも、第１及び第２リブ１６ａ、１６ｂが前記最大幅を覆って流動する空気が多数の溝１９に流入されないように第１リブ１６ａの長さＬ１（図４参照）と第２リブ１６ｂの長さＬ２（図４参照）との和は前記最大幅より大きくなければならない。これにより、フレキシブルホース１０が曲げられてフレキシブルホース壁１２が弛緩されたり縮小されてもフレキシブルホース壁１２を通過する空気は多数の溝１９に流入されずフレキシブルホース壁１２を通過する。
【００２３】
このとき、第１リブ１６ａと第２リブ１６ｂは相互一体で構成しない。その理由は、第１リブ１６ａと第２リブ１６ｂが本実施形態のように重ならず一体で形成される場合、フレキシブルホース１０固有の特性である一定な引張力及び圧縮力が低下され、フレキシブルホース１０を曲げるための柔軟性が低下するからである。言い換えれば、本発明は、第１及び第２リブ１６ａ、１６ｂが重なるように設けられるのでフレキシブルホースが曲げられる場合、第１及び第２リブ１６ａ、１６ｂが相互重畳する部分が増加もしくは減少されてフレキシブルホース１０の柔軟性が維持されると共に、第１及び第２リブ１６ａ、１６ｂが多数の溝１９を覆っているので流動する空気が多数の溝１９に流入されなくなり、騒音が低減される。
【００２４】
一方、本実施形態では第２リブ１６ｂが第１リブ１６ａより長く形成されるものとしたが、第２リブ１６ｂが第１リブ１６ａの一部を覆うように重なって多数の溝１９を覆うことができれば、第２リブ１６ｂが第１リブ１６ａより短く形成されても良い。
【００２５】
以下、図２ないし図５に基づいて、本発明の一実施形態に係るフレキシブルホース１０が適用された真空掃除機１００の動作について説明する。
【００２６】
真空掃除機の本体１１０に内蔵された吸引モータ（図示せず）が稼動されると吸引力が発生し、このような吸引力が伝達された吸引口体１２０は被掃除面と接触しながら被掃除面の汚物を含む外気を吸引口１２１を介して吸引する。このように吸引された外気は、延長管１４０、ハンドル部１３０、フレキシブルホース１０を順に経て真空掃除機の本体１１０に内蔵された集塵装置（図示せず）に流入され、汚物が分離された空気は真空掃除機の本体１１０の外部へ排出される。一方、外気がフレキシブルホース１０を経て流動するとき、図４に示すように、外気がフレキシブルホース壁１２に沿ってＣ方向に移動する場合、外気はフレキシブルホース壁１２に形成された第２リブ１６ｂと第１リブ１６ａに沿って流動されることにより、多数の溝１９に流入される現象が発生せず、これにより多数の溝１９に外気が流入されることにより発生する流速騒音が発生しない。更に、第２リブ１６ｂと第１リブ１６ａが重なるように形成されているので、フレキシブルホース１０が曲げられても多数の溝１９は相変わらず第２リブ１６ｂと第１リブ１６ａによって覆われるように形成されるので、多数の溝１９に外気が流入される現象は発生しない。
【００２７】
図５は、本発明の一実施形態に係るフレキシブルホース１０が適用された真空掃除機の動作時、フレキシブルホース１０で発生する騒音と従来のフレキシブルホースで発生する騒音を比較するために実験した実験データを用いて獲得したグラフである。
【００２８】
同図に示すように、本発明の一実施形態に係るフレキシブルホース１０を使う場合、従来のフレキシブルホースを使う場合より全体の周波数帯域で低い騒音レベル（ｄＢＡ）が発生することが分かる。このように、本実施形態に係るフレキシブルホース１０を使う場合、従来のフレキシブルホースを使う場合より静かな環境で掃除動作を行なうことができるので、使用者により安定感や安らぎを与えることができる。
【００２９】
以上、本発明の好適な実施形態を図示及び説明してきたが、本発明の技術的範囲は前述の実施形態に限定するものではなく、特許請求の範囲に基づいて定められ、特許請求の範囲において請求する本発明の要旨から外れることなく当該発明が属する技術分野において通常の知識を有する者であれば誰もが多様な変形実施が可能であることは勿論のことであり、該変更した技術は特許請求の範囲に記載された発明の技術的範囲に属するものである。
【図面の簡単な説明】
【００３０】
【図１】従来のフレキシブルホースを示す断面図である。
【図２】本発明の一実施形態に係るフレキシブルホースが適用された真空掃除機を示す斜視図である。
【図３】図２のフレキシブルホースのＡ部分を拡大して示す斜視図である。
【図４】図２のフレキシブルホースのＡ部分を拡大して示す断面図である。
【図５】本発明の一実施形態に係ったフレキシブルホースによる騒音の低減効率を示す実験データグラフである。
【符号の説明】
【００３１】
１０      フレキシブルホース
１１      重畳部
１２      フレキシブルホース壁
１４      谷
１６      空気流入防止部材
１６ａ    第１リブ
１６ｂ    第２リブ
１７      山
１９      溝
１１０    真空掃除機の本体
１２０    吸引口体
１２１    吸引口
１３０    ハンドル部
１４０    延長管
【図１】
2008220922.tif 000003
【図２】
2008220922.tif 000004
【図３】
2008220922.tif 000005
【図４】
2008220922.tif 000006
【図５】
2008220922.tif 000007